(57)【特許請求の範囲】
【請求項１】
吊り戸棚４１と隣接して壁面４０に設置してある古いレンジフード４３を、この古いレンジフード４３よりも幅の狭い新しいレンジフードに交換するレンジフードの設置方法であって、
前記吊り戸棚４１を残存して古いレンジフード４３を取り外し、
前記既設の吊り戸棚４１の側面４１ａに、長さ調整可能な縦塞ぎ部材４と長さ調整可能な横塞ぎ部材５で鉤形状の隙間塞ぎ部材を取り付け、
この隙間塞ぎ部材の縦塞ぎ部材４の長さを既設の吊り戸棚４１の高さ寸法に対応して調整すると共に、前記横塞ぎ部材５の長さを既設の吊り戸棚４１の奥行き寸法に対応して調整し、
この後に、新しいレンジフード４７を、前記隙間塞ぎ部材と隣接して壁面４０に設置するようにしたことを特徴とするレンジフードの設置方法。
【請求項２】
吊り戸棚４１と隣接して壁面４０に設置してある古いレンジフード４３を、この古いレンジフード４３よりも幅の狭い新しいレンジフードに交換するレンジフードの設置方法であって、
前記吊り戸棚４１を残存して古いレンジフード４３を取り外し、
前記既設の吊り戸棚４１の側面４１ａに、長さ調整可能な縦塞ぎ部材４と長さ調整可能な横塞ぎ部材５で鉤形状で、新しいレンジフードと同じ外観の隙間塞ぎ部材を取り付け、
この隙間塞ぎ部材の縦塞ぎ部材４の長さを新しいレンジフード４７の高さ寸法に対応して調整すると共に、前記横塞ぎ部材５の長さを既設の吊り戸棚４１の奥行き寸法に対応して調整し、
この後に、新しいレンジフード４７を、前記隙間塞ぎ部材と隣接し、かつ新しいレンジフード４７と隙間塞ぎ部材が高さ方向全長に亘って連続するように、壁面４０に設置することを特徴とするレンジフードの設置方法。
【請求項３】
前記隙間塞ぎ部材は、仮取り付けした状態で縦塞ぎ部材４、横塞ぎ部材５の長さを調整でき、この隙間塞ぎ部材を既設の吊り戸棚４１の側面４１ａに仮取り付けした後に、縦塞ぎ部材４、横塞ぎ部材５の長さを、それぞれ調整して取り付けるようにした請求項１又は２記載のレンジフードの設置方法。
【請求項４】
縦向き部１ａと横向き部１ｂで鉤形状の本体１と、
前記縦向き部１ａに縦方向にスライド可能に設け、かつ任意の位置で固定できるようにした縦可動体２と、
前記横向き部１ｂに横方向にスライド可能に設け、かつ任意の位置で固定できるようにした横可動体３を備え、
前記縦向き部１ａと縦可動体２で長さ調整可能な縦塞ぎ部材４とし、
前記横向き部１ｂと横可動体３で長さ調整可能な横塞ぎ部材５としたことを特徴とする隙間塞ぎ部材。
【請求項５】
前記縦向き部１ａは、表面板１０と一対の取付板１１，１１で断面コ字型の長尺材で、前記横向き部１ｂは、底面板１４と一対の取付板１５，１５で断面コ字型の長尺材で、
前記縦可動体２を、表面板２０と一対の側面板２１，２１で、前記縦向き部１ａの内側面に沿ってスライド可能に嵌まり合う断面コ字型の長尺材とし、
前記横可動体３を、底面板３０と一対の側面板３１，３１で、前記横向き部１ｂの内側面に沿ってスライド可能に嵌まり合う断面コ字型の長尺材とした請求項４記載の隙間塞ぎ部材。
【請求項６】
前記縦向き部１ａの一対の取付板１１に長孔１２と取付用穴１３をそれぞれ形成し、前記縦可動体２の一対の側面板２１に共締め用穴２２を形成し、
前記横向き部１ｂの一対の取付板１５に長孔１６と取付用穴１７をそれぞれ形成し、前記横可動体３の一対の側面板３１に共締め用穴３３を形成し、
前記各取付用穴から取付ねじを既設の吊り戸棚４１の側面４１ａに螺合して本体１を取り付け
前記各共締め用穴２２，３３から取付ねじ６を各長孔１２，１６を挿通して既設の吊り戸棚４１の側面４１ａに螺合して縦向き部１ａと縦可動体２を固定し、横向き部１ｂと横可動体３を固定するようにした請求項５記載の隙間塞ぎ部材。
【請求項７】
吊り戸棚４１と隣接して壁面４０に設置してある古いレンジフード４３を、この古いレンジフード４３よりも幅の狭い新しいレンジフードに交換したレンジフードであって、
前記既設の吊り戸棚４１の側面４１ａに、新しいレンジフードの外観と同じ外観の隙間塞ぎ部材が取り付けられ、
前記隙間塞ぎ部材は、縦向き部１ａと横向き部１ｂで鉤形状の本体１と、
前記縦向き部１ａに縦方向にスライド可能に設け、かつ任意の位置で固定できるようにした縦可動体２と、
前記横向き部１ｂに横方向にスライド可能に設け、かつ任意の位置で固定できるようにした横可動体３を備え、
前記縦向き部１ａと縦可動体２で長さ調整可能な縦塞ぎ部材４とし、
前記横向き部１ｂと横可動体３で長さ調整可能な横塞ぎ部材５とし、
前記新しく取り付けるレンジフードは、フード本体４７ａと、下幕板５２の背面側に上幕板５３を上下スライド可能に取り付けた高さ調整できる幕板４７ｃを備え、
前記隙間塞ぎ部材の縦向き部１ａの縦方向の長さが、前記フード本体４７ａから下幕板５２の上端面５２ａまでの高さ寸法と同一で、その縦向き部１ａの上端面と下幕板５２の上端面５２ａが同一高さで、一直線状に連続し、
前記隙間塞ぎ部材の縦塞ぎ部材４の長さは新しいレンジフードの高さ寸法に対応して調整され、前記横塞ぎ部材５の長さは既設の吊り戸棚４１の奥行き寸法に対応して調整されていることを特徴とするレンジフード。
【発明の詳細な説明】
【技術分野】
【０００１】
本発明は、吊り戸棚と隣接してレンジフードを設置する方法及び、その設置の際に使用する隙間塞ぎ部材に関する。
【背景技術】
【０００２】
従来、システムキッチンを壁に沿って新設する場合、レンジフードと吊り戸棚を隣接して壁に設置することが一般的に行われている。
近年の吊り戸棚は、その寸法が標準化されており、高さ寸法は５０ｃｍ、７０ｃｍ、８０ｃｍ、９０ｃｍが代表的で、奥行き寸法は略３５ｃｍとなっている。
一方、レンジフードは、火災予防条例等により調理機器と８０ｃｍ以上離隔して設置する必要があるので、この８０ｃｍ以上の離隔距離を確保するために、レンジフードと隣接する吊り戸棚としては、高さ寸法７０ｃｍのものを使用するのが一般的である。
【０００３】
また、建物のリフォームの一環として、古いレンジフードを新しいレンジフードに交換することがある。
この場合、新しいレンジフードの幅が古いレンジフードの幅よりも広ければ、古いレンジフードと隣接して設置してある既設の吊り戸棚を撤去しなければならない。
しかし、古いレンジフードの幅よりも狭い幅のレンジフードを設置するのであれば、既設の吊り戸棚を撤去する必要がないが、既設の吊り戸棚と新しいレンジフードとの間に隙間が生じることがある。
例えば、古いレンジフードの幅が７０ｃｍで、新しいレンジフードの幅が６０ｃｍの場合には、新しいレンジフードと既設の吊り戸棚との間に１０ｃｍの隙間が生じることがある。
【０００４】
前述のように、レンジフードを交換する際に、既設の吊り戸棚とレンジフードとの間に隙間が生ずる場合には、特許文献１，２に開示されたように、フィラーと呼ばれる隙間塞ぎ部材を用いて吊り戸棚とレンジフードとの間の隙間を塞ぐことが考えられる。
【先行技術文献】
【特許文献】
【０００５】
【特許文献１】実公昭６３−５５７７号公報
【特許文献２】特許第３１２７３４３号公報
【発明の概要】
【発明が解決しようとする課題】
【０００６】
しかしながら、古いレンジフードが設置されていたスペースにレンジフードと隙間塞ぎ部材を、どのようにして設置するかが問題である。
しかも、前述したようにレンジフードを交換する場合には、古いレンジフードと隣接して設置してある既設の吊り戸棚をそのままとするが、その既設の吊り戸棚の高さ寸法、奥行き寸法は一定ではない。
特に、既設の吊り戸棚が前述した標準寸法ではなかったり、特別に注文して製作した吊り戸棚である場合には、その既設の吊り戸棚の高さ寸法、奥行き寸法がまちまちで一定ではない。
【０００７】
このように、既設の吊り戸棚の高さ寸法、奥行き寸法が一定でないから、前述のように既設の吊り戸棚とレンジフードとの間の隙間を隙間塞ぎ部材で塞ぐようにした場合に、既設の吊り戸棚の高さ寸法、奥行き寸法が異なると、前述のレンジフードと既設の吊り戸棚との間の隙間を完全に塞ぐことができない。
このことを解消してレンジフードと既設の吊り戸棚との間の隙間を完全に塞ぐためには、既設の吊り戸棚の高さ寸法、奥行き寸法に合致した大きさの隙間塞ぎ部材を必要とするから、大きさの異なる数多くの隙間塞ぎ部材を準備しなければならず、コスト高となってしまう。
【０００８】
本発明の目的は、古いレンジフードが設置されていたスペースに、新しいレンジフードと隙間塞ぎ部材を、既設の吊り戸棚の高さ寸法、奥行き寸法が異なる場合、又は既設の吊り戸棚の奥行き寸法、新しいレンジフードの高さ寸法が異なる場合でも隙間なく、簡単に設置できるようにしたレンジフードの設置方法及び、その設置方法に用いる隙間塞ぎ部材とすることである。
【課題を解決するための手段】
【０００９】
本発明の第１のレンジフードの設置方法は、吊り戸棚４１と隣接して壁面４０に設置してある古いレンジフード４３を、この古いレンジフード４３よりも幅の狭い新しいレンジフードに交換するレンジフードの設置方法であって、
前記吊り戸棚４１を残存して古いレンジフード４３を取り外し、
前記既設の吊り戸棚４１の側面４１ａに、長さ調整可能な縦塞ぎ部材４と長さ調整可能な横塞ぎ部材５で鉤形状の隙間塞ぎ部材を取り付け、
この隙間塞ぎ部材の縦塞ぎ部材４の長さを既設の吊り戸棚４１の高さ寸法に対応して調整すると共に、前記横塞ぎ部材５の長さを既設の吊り戸棚４１の奥行き寸法に対応して調整し、
この後に、新しいレンジフード４７を、前記隙間塞ぎ部材と隣接して壁面４０に設置するようにしたことを特徴とするレンジフードの設置方法である。
【００１０】
本発明の第２のレンジフードの設置方法は、吊り戸棚４１と隣接して壁面４０に設置してある古いレンジフード４３を、この古いレンジフード４３よりも幅の狭い新しいレンジフードに交換するレンジフードの設置方法であって、
前記吊り戸棚４１を残存して古いレンジフード４３を取り外し、
前記既設の吊り戸棚４１の側面４１ａに、長さ調整可能な縦塞ぎ部材４と長さ調整可能な横塞ぎ部材５で鉤形状で、新しいレンジフードと同じ外観の隙間塞ぎ部材を取り付け、
この隙間塞ぎ部材の縦塞ぎ部材４の長さを新しいレンジフード４７の高さ寸法に対応して調整すると共に、前記横塞ぎ部材５の長さを既設の吊り戸棚４１の奥行き寸法に対応して調整し、
この後に、新しいレンジフード４７を、前記隙間塞ぎ部材と隣接し、かつ新しいレンジフード４７と隙間塞ぎ部材が高さ方向全長に亘って連続するように、壁面４０に設置することを特徴とするレンジフードの設置方法である。
【００１１】
前述の第１・第２のレンジフードの設置方法においては、前記隙間塞ぎ部材は、仮取り付けした状態で縦塞ぎ部材４、横塞ぎ部材５の長さを調整でき、この隙間塞ぎ部材を既設の吊り戸棚４１の側面４１ａに仮取り付けした後に、縦塞ぎ部材４、横塞ぎ部材５の長さを、それぞれ調整して取り付けるようにすることができる。
【００１２】
このようにすれば、縦塞ぎ部材４、横塞ぎ部材５の長さを、既設の吊り戸棚４１の高さ寸法、奥行き寸法に対応した長さに簡単で、正確に調整できる。
【００１３】
本発明の隙間塞ぎ部材は、縦向き部１ａと横向き部１ｂで鉤形状の本体１と、
前記縦向き部１ａに縦方向にスライド可能に設け、かつ任意の位置で固定できるようにした縦可動体２と、
前記横向き部１ｂに横方向にスライド可能に設け、かつ任意の位置で固定できるようにした横可動体３を備え、
前記縦向き部１ａと縦可動体２で長さ調整可能な縦塞ぎ部材４とし、
前記横向き部１ｂと横可動体３で長さ調整可能な横塞ぎ部材５としたことを特徴とする隙間塞ぎ部材である。
【００１４】
本発明の隙間塞ぎ部材は、前記縦向き部１ａは、表面板１０と一対の取付板１１，１１で断面コ字型の長尺材で、前記横向き部１ｂは、底面板１４と一対の取付板１５，１５で断面コ字型の長尺材で、
前記縦可動体２を、表面板２０と一対の側面板２１，２１で、前記縦向き部１ａの内側面に沿ってスライド可能に嵌まり合う断面コ字型の長尺材とし、
前記横可動体３を、底面板３０と一対の側面板３１，３１で、前記横向き部１ｂの内側面に沿ってスライド可能に嵌まり合う断面コ字型の長尺材とした隙間塞ぎ部材とすることができる。
【００１５】
このようにすれば、本体１を取り付けた状態で、縦向き部１ａ、横向き部１ｂに対して縦可動体２、横可動体３をスムーズにスライドして縦塞ぎ部材４、横塞ぎ部材５の長さを調整できる。
【００１６】
本発明の隙間塞ぎ部材は、前記縦向き部１ａの一対の取付板１１に長孔１２と取付用穴１３をそれぞれ形成し、前記縦可動体２の一対の側面板２１に共締め用穴２２を形成し、
前記横向き部１ｂの一対の取付板１５に長孔１６と取付用穴１７をそれぞれ形成し、前記横可動体３の一対の側面板３１に共締め用穴３３を形成し、
前記各取付用穴から取付ねじを既設の吊り戸棚４１の側面４１ａに螺合して本体１を取り付け
前記各共締め用穴２２，３３から取付ねじ６を各長孔１２，１６を挿通して既設の吊り戸棚４１の側面４１ａに螺合して縦向き部１ａと縦可動体２を固定し、横向き部１ｂと横可動体３を固定するようにした隙間塞ぎ部材とすることができる。
【００１７】
このようにすれば、縦向き部１ａと縦可動体２を共通の取付ねじで固定できると共に、横向き部１ｂと横可動体３を共通の取付ねじで固定できる。
しかも、隙間塞ぎ部材を左右勝手違いに取り付けできる。
【００１８】
本発明のレンジフードは、吊り戸棚４１と隣接して壁面４０に設置してある古いレンジフード４３を、この古いレンジフード４３よりも幅の狭い新しいレンジフードに交換したレンジフードであって、
前記既設の吊り戸棚４１の側面４１ａに、新しいレンジフードの外観と同じ外観の隙間塞ぎ部材が取り付けられ、
前記隙間塞ぎ部材は、縦向き部１ａと横向き部１ｂで鉤形状の本体１と、
前記縦向き部１ａに縦方向にスライド可能に設け、かつ任意の位置で固定できるようにした縦可動体２と、
前記横向き部１ｂに横方向にスライド可能に設け、かつ任意の位置で固定できるようにした横可動体３を備え、
前記縦向き部１ａと縦可動体２で長さ調整可能な縦塞ぎ部材４とし、
前記横向き部１ｂと横可動体３で長さ調整可能な横塞ぎ部材５とし、
前記新しく取り付けるレンジフードは、フード本体４７ａと、下幕板５２の背面側に上幕板５３を上下スライド可能に取り付けた高さ調整できる幕板４７ｃを備え、
前記隙間塞ぎ部材の縦向き部１ａの縦方向の長さが、前記フード本体４７ａから下幕板５２の上端面５２ａまでの高さ寸法と同一で、その縦向き部１ａの上端面と下幕板５２の上端面５２ａが同一高さで、一直線状に連続し、
前記隙間塞ぎ部材の縦塞ぎ部材４の長さは新しいレンジフードの高さ寸法に対応して調整され、前記横塞ぎ部材５の長さは既設の吊り戸棚４１の奥行き寸法に対応して調整されていることを特徴とするレンジフードである。
【００１９】
このようにすれば、新しく取り付けたレンジフードと隙間塞ぎ部材が連続した一体物のような外観となるから、見栄えが良い。
【発明の効果】
【００２０】
本発明の第１のレンジフードの設置方法によれば、古いレンジフードが設置されていたスペースに、新しいレンジフードと隙間塞ぎ部材を、既設の吊り戸棚の高さ寸法、奥行き寸法が異なる場合でも隙間なく、簡単に設置することができる。
【００２１】
本発明の第２のレンジフードの設置方法によれば、古いレンジフードが設置されていたスペースに、新しいレンジフードと隙間塞ぎ部材を、新しいレンジフードの高さ寸法、既設の吊り戸棚の奥行き寸法が異なる場合でも隙間なく、簡単に設置できる。
しかも、新しいレンジフードと隙間塞ぎ部材が一体に連続したように見えるので、見栄えが良い。
【図面の簡単な説明】
【００２２】
【図１】隙間塞ぎ部材の分解斜視図である。
【図２】隙間塞ぎ部材の正面図である。
【図３】古いレンジフードの設置状態の正面図である。
【図４】古いレンジフードを取り外した状態の正面図である。
【図５】既設の吊り戸棚に本体を仮取り付けした側面図である。
【図６】既設の吊り戸棚に本体を取り付けした側面図である。
【図７】本体に縦可動体を取り付けた状態の側面図である。
【図８】本体に横可動体を取り付けた状態の側面図である。
【図９】本体に横可動体を取り付けた状態の正面図である。
【図１０】新しいレンジフードを設置した状態の正面図である。
【発明を実施するための形態】
【００２３】
本発明のレンジフードの設置方法に用いる隙間塞ぎ部材の実施の形態を図１、図２に基づいて説明する。
前記隙間塞ぎ部材は、本体１と、縦可動体２と、横可動体３を備えている。
前記本体１は、縦向き部１ａと横向き部１ｂで鉤形状である。
前記縦向き部１ａに前記縦可動体２を縦方向にスライド可能で、かつ任意の位置で固定できるように設けることで、長さ調整可能な縦塞ぎ部材４としてある。
前記本体１の横向き部１ｂに前記横可動体３を横方向にスライド可能で、かつ任意の位置に固定できるように設けることで、長さ調整可能な横塞ぎ部材５としてある。
該横塞ぎ部材５と前記縦塞ぎ部材４で鉤形状の隙間塞ぎ部材としてある。
【００２４】
このようであるから、縦塞ぎ部材４の長さを調整することで隙間塞ぎ部材の縦方向（垂直方向）の長さを調整でき、横塞ぎ部材５の長さを調整することで隙間塞ぎ部材の横方向（水平方向）の長さを調整できる。
したがって、吊り戸棚の高さ寸法、奥行き寸法に対応した大きさの隙間塞ぎ部材とすることができる。
【００２５】
前記本体１の縦向き部１ａは、所定の幅と長さを有する表面板１０と、この表面板１０の幅方向両側縁に設けた一対の取付板１１，１１で断面コ字型の長尺形状で、その一対の取付板１１には縦方向（長手方向）の長孔１２がそれぞれ形成されていると共に、縦方向下部寄りに取付用穴１３がそれぞれ形成されている。
前記取付用穴１３は上部小径穴１３ａと、この上部小径穴１３ｂと連続した下部大径穴１３ｂを有している。
【００２６】
前記本体１の横向き部１ｂは、所定の幅と長さを有し、前記前面板１０と連続した底面板１４と、この底面板１４の幅方向両側縁に設けた一対の取付板１５，１５で断面コ字型の長尺形状で、その一対の取付板１５には横方向（長手方向）の長孔１６がそれぞれ形成されていると共に、横方向手前寄り（縦向き部１ａ寄り）に取付用穴１７がそれぞれ形成されている。
この実施の形態の本体１は、所定の幅と長さを有する板材を、その幅方向両側縁を折り曲げて断面コ字型の長尺形状とし、その折り曲げた部分に長孔１２，１６、取付用穴１３，１７を形成し、その長手方向中間部を切除して不連続とし、その不連続部分から９０度に折り曲げて前述した縦向き部１ａと横向き部１ｂを有する鉤形状としてある。
【００２７】
前記縦可動体２は表面板２０と、その表面板２０の幅方向両側縁に設けた一対の側面板２１，２１で断面コ字型の長尺形状で、その一対の側面板２１の下部寄りに共締め用穴２２が形成され、上部寄りに一対の取付用穴２３が縦方向（長手方向）に間隔を置いて形成してある。
そして、表面板２０、側面板２１が前記縦向き部１ａの表面板１０、取付板１１の内側面にスライド可能に接し、縦可動体２は本体１の縦向き部１ａ内に縦方向にスライド可能に嵌まり合っている。
このとき、前記共締め用穴２２から取付ねじ６を挿入して長孔１２から突出するようにしてある。
【００２８】
前記横可動体３は底面板３０と、その底面板３０の幅方向両側縁に設けた一対の側面板３１，３１と、この一対の側面板３１と底面板３０とに連続した端面板３２で断面コ字型の長尺形状で、その一対の側面板３１に共締め用穴３３と第１取付用穴３４が形成してあると共に、端面板３２には第２取付用穴３５と第３取付用穴３６が幅方向に間隔を置いて形成してある。
そして、底面板３０、側面板３１が前記横向き部１ｂの底面板１４、側面板１５の内側面にスライド可能に接し、横可動体３は本体１の横向き部１ｂ内に横方向にスライド可能に嵌まり合っている。
このとき、前記共締め用穴３３から取付ねじ６を挿入して長孔１６から突出するようにしてある。
この実施の形態の縦可動体２、横可動体３は所定の幅と長さを有する板材を折り曲げ加工して製作してある。
【００２９】
前述のように、本体１の縦向き部１ａの内側面に縦可動体２がスライド可能に嵌まり合い、横向き部１ｂの内側面に横可動体３がスライド可能に嵌まり合っているので、縦可動体２、横可動体３を本体１に対してスムーズにスライドして長さ調整できる。
しかも、後述するように本体１を吊り戸棚の側面に取り付けた後に、縦横可動体２，３を移動して長さ調整できるから、隙間塞ぎ部材の縦塞ぎ部材４、横塞ぎ部材５の長さを、吊り戸棚の高さ寸法、奥行き寸法に対応して簡単で、確実に調整できる。
さらに、一対の取付板１１，１５、一対の側面板２１，３１の一方を取り付けるので、隙間塞ぎ部材を左右勝手違いに取り付けできる。
この実施の形態の本体１、縦可動体２、横可動体３は、後述する新しいレンジフードの材料と同じ材料、例えば同じ鋼板を用いている。
また、後述するように、幅７０ｃｍの古いレンジフードを幅６０ｃｍの新しいレンジフードと交換するのに用いる隙間塞ぎ部材としてあるので、その隙間塞ぎ部材の幅は９５ｍｍ、縦方向の長さ調整範囲は４４５ｍｍ〜７５０ｍｍ、横方向の長さ調整範囲は２７５ｍｍ〜３５０ｍｍとしてある。
【００３０】
前述した隙間塞ぎ部材を用いて壁面に設置してある古いレンジフードを新しいレンジフードに交換するには、まず、既設の吊り戸棚を残存して古いレンジフードを取り外す。この古いレンジフードの取り外しの手順は従来と同様である。
次に、古いレンジフードが設置してあったスペースを利用し、既設の吊り戸棚の側面に隙間塞ぎ部材の本体１を固定する。
この状態で、縦可動体２をスライドして縦塞ぎ部材４の長さを既設の吊り戸棚の高さ寸法に対応した長さに調整し、横可動体３をスライドして前記壁面に接して横塞ぎ部材５の長さを既設の吊り戸棚の奥行き寸法に対応した長さに調整する。
【００３１】
この後に、新しいレンジフードを前記壁面に、前記隙間塞ぎ部材と隣接して設置することで、既設の吊り戸棚の側面と新しいレンジフードとの間に隙間が生じないようにする。
このようであるから、既設の吊り戸棚の高さ寸法、奥行き寸法が異なる場合でも、新しいレンジフードを隙間が生じることなく簡単に設置できる。
【００３２】
次に、古いレンジフードを新しいレンジフードに交換する実施の形態を説明する。
図３に示すように、建物の壁面４０には吊り戸棚４１が設置してある。
この吊り戸棚４１と壁面４０のコーナー部４２との間に古いレンジフード４３が設置してある。この古いレンジフードの幅Ｈ１は広い。例えば７０ｃｍである。
前記吊り戸棚４１の上面、レンジフード４３の上面と天井４４とは離隔し、その間には覆い板４５が取り付けてある。
【００３３】
図４に示すように、古いレンジフード４３を取り外し、前述した既設の吊り戸棚４１の側面４１ａと壁面４０のコーナー部４２との間を新しいレンジフードを取り付けるスペース４６とする。このスペース４６は幅Ｈ１である。
この状態で、前記既設の吊り戸棚４１の側面４１ａに前述した隙間塞ぎ部材を、前記スペース４６を利用して次のようにして取り付ける。このとき、既設の吊り戸棚４１の側面４１ａが不燃処理していなければ、不燃処理する。例えば、不燃材を側面４１ａに取り付ける。
【００３４】
まず、図５に示すように既設の吊り戸棚４１の側面４１ａにおける前面４１ｂ寄りで底面４１ｃ寄りのコーナー部近くに仮取付用の取付ねじ７を仮固定し、本体１を手で持ち、その縦向き部１ａの一方の取付板１１に形成した取付用穴１３の小部大径穴１３ｂを取付ねじ７の頭部（座）に挿通してねじ部を上部小径穴１３ａに引掛け、本体１を仮想線で示すように仮取り付けする。
【００３５】
この状態で、図５、図６に示すように本体１の縦向き部１ａの表面板１０、横向き部１ｂの底面板３０を、既設の吊り戸棚４１の前面４１ｂ、底面４１ｃに合わせ、前記取付ねじ７を本締めして固定すると共に、横向き部１ｂの一方の取付板１５の取付用穴１７から取付ねじ８を既設の吊り戸棚４１の側面４１ａに螺合して本体１を取り付ける。
【００３６】
図７に示すように、本体１の縦向き部１ａに縦可動体２を嵌め込み、その縦可動体２をスライドして縦塞ぎ部材４を、新しいレンジフードの高さ寸法に対応した長さに調整し、一方の側面板２１の共締め用穴２２から取付ねじ６を長孔１２を挿通して既設の吊り戸棚４１の側面４１ａに螺合し、縦向き部１ａと縦可動体２を既設の吊り戸棚４１の側面４１ａに共通の取付ねじ６で固着して取り付ける。
この実施の形態では、縦可動体２は既設の吊り戸棚４１の上面４１ｄよりも上方に突出し、覆い板４５の下面に接するようにしてある。つまり、隙間塞ぎ部材の縦塞ぎ部材４は新しいレンジフードの高さ寸法に合わせた長さとしてある。
前記一方の側面板２１の取付用穴２３が既設の吊り戸棚４１の上面４１ｄよりも上方であるから、その取付用穴２３に挿入した取付ねじ８を覆い板４５の端面に螺合する。
【００３７】
図８に示すように、本体１の横向き部１ｂに横可動体３を嵌め込み、その横可動体２をスライドして壁面４０に当接し、一方の側面板３１の共締め用穴３３から前記取付ねじ６を長孔１６を挿通して既設の吊り戸棚４１の側面４１ａに螺合し、横向き部１ｂと横可動体３を既設の吊り戸棚４１の側面４１ａに共通の取付ねじ６で固着して取り付ける。
前記一方の側面板３１の第１取付用穴３４から取付ねじ８を既設の吊り戸棚４１の側面４１ａに螺合して固着し、端面板３２の第３取付用穴３６（既設の吊り戸棚４１の側面４１ａから遠い方の取付用穴）から取付ねじ９を壁面４０に螺合して固着する。
これによって、隙間塞ぎ部材の横塞ぎ部１ｂの長さは、既設の吊り戸棚４１の奥行き寸法と合致し、その吊り戸棚４１の前面４１ｂから壁面４０までに亘って横塞ぎ部材１ｂを取り付けできる。
【００３８】
前述のように、既設の吊り戸棚４１の側面４１ａに隙間塞ぎ部材を取り付けることで、図９に示すように、新しいレンジフードを設置するスペースの幅Ｈ２は、Ｈ２＜Ｈ１となる。例えば、６０ｃｍとなる。
【００３９】
図１０に示すように、前述した隙間塞ぎ部材と壁面４０のコーナー部４２との間の幅Ｈ２のスペースに、新しいレンジフード４７を、隙間塞ぎ部材の縦塞ぎ部材４と高さを合わせて設置する。
この新しいレンジフード４７の幅は、古いレンジフード４３の幅よりも小さく、例えば６０ｃｍの幅であるので、新しいレンジフード４７と既設の吊り戸棚４１との間には隙間が生じるが、前述のように取り付けた隙間塞ぎ部材によって前述の隙間が閉塞される。
このようであるから、７０ｃｍ幅の古いレンジフードを６０ｃｍ幅の新しいレンジフードと交換した場合に、そのレンジフードと既設の吊り戸棚との間に隙間が生じないようにできる。
【００４０】
この実施の形態では、新しいレンジフード４７は、フード本体４７ａと、横幕板４７ｂと幕板４７ｃを備え、そのフード本体４７ａと幕板４７ｃが既設の吊り戸棚４１の前面４１ｂ（前面板１０，２０）よりも室内側に張り出すが、横幕板４７ｂによって隙間が生じることがないようにできる。
なお、新しいレンジフード４７の取り付けは、通常のレンジフードの取り付けと同様な手順であるから、詳細な説明を省略する。
【００４１】
このように、新しいレンジフードの高さ寸法、既設の吊り戸棚４１の奥行き寸法が異なる場合には、縦可動体２、横可動体３をスライドして縦塞ぎ部材４、横塞ぎ部材５の長さをその寸法に対応して調整すれば良く、レンジフードの交換現場で隙間塞ぎ部材を加工する作業が不要で、レンジフードの交換作業時間を短縮できるから、簡単に新しいレンジフードを設置できる。
【００４２】
図１０に示すように、前記横幕板４７ｂは下横幕板５０と、この下横幕板５０の背面側に上下スライド可能に取り付けられた上横幕板５１で高さ調整できるようにしてある。
前記幕板４７ｃは下幕板５２と、この下幕板５２の背面側に上下スライド可能に取り付けられた上幕板５３で高さ調整できるようにしてある。
このようであるから、新しいレンジフード４７の高さ寸法を古いレンジフード４３の高さ寸法に合わせることができる。
例えば、フード本体４７ａの下面を古いレンジフード４３の下面と同一位置としてフード本体４７ａを壁面４０に取り付け、そのフード本体４７ａに下横幕板５０、下幕板５２を取り付けた状態で、上横幕板５１、上幕板５３を上下にスライドして新しいレンジフード４７の高さ寸法を古いレンジフード４３の高さ寸法に合わせ、上横幕板５１、上幕板５３を固定する。
【００４３】
前記フード本体４７ａから下幕板５２までの高さ寸法は、隙間塞ぎ部材の本体１の縦向き部１ａの縦方向の長さと同一で、その下幕板５２の上端面５２ａと縦向き部１ａの上端面（表面板１０の上端面１０ａ）が同一高さで一直線状に連続するから、見栄えが良い。
【００４４】
また、前記隙間塞ぎ部材の各部材は新しいレンジフードと同一の材料、例えば鋼板によって製作され、隙間塞ぎ部材の外観と新しいレンジフードの外観が同一であるから、その隙間塞ぎ部材は新しいレンジフードと連続した一体物のように見え、外観の見栄えが良い。
なお、隙間塞ぎ部材を新しいレンジフードの材料と異なる材料によって製作し、その表面板１０，２０、底面板１４，３０の表面を、新しいレンジフードの表面と同じ外観となるようにしても良い。例えば、隙間塞ぎ部材、少なくとも表面板１０，２０、底面板１４，３０をレンジフードと同じ塗装をして同じ外観とする。
要するに、隙間塞ぎ部材の外観をレンジフードの外観と同じにすれば良い。
【００４５】
前述の実施の形態では新しいレンジフード４７の前面が既設の吊り戸棚４１の前面４１ｂよりも室内側に突出しているので、縦塞ぎ部材４の前面を既設の吊り戸棚４１の前面４１ｂに合わせたが、新しいレンジフード４７の前面が既設の吊り戸棚４１の前面４１ｂよりも奥に引き込む場合には、縦塞ぎ部材４の前面を新しいレンジフードの前面に合わせる。
【００４６】
また、前述した新しいレンジフード４７を既設の吊り戸棚４１の側面４１ａと連続して設置する場合には、その隙間塞ぎ部材を壁面４０のコーナー部４２に取り付ける。
【００４７】
また、新しいレンジフード４７を、既設の吊り戸棚４１の側面４１ａと新しいレンジフード４７との間、その新しいレンジフードとコーナー部４２との間にそれぞれ隙間が生じるように設置する場合には、既設の吊り戸棚４１の側面４１ａ、壁面４０のコーナー部４２に隙間隠し部材をそれぞれ取り付ける。
この場合には、隙間塞ぎ部材の幅寸法を半分とする。
【符号の説明】
【００４８】
１…本体、１ａ…縦向き部、１ｂ…横向き部、２…縦可動体、３…横可動体、４…縦塞ぎ部材、５…横塞ぎ部材、６…取付ねじ、１０…表面板、１１…取付板、１２…長孔、１３…取付用穴、１４…底面板、１５…取付板、１６…長孔、１７…取付用穴、２０…表面板、２１…側面板、２２…共締め用穴、３０…底面板、３１…側面板、３３…共締め用穴、４０…壁面、４１…既設の吊り戸棚、４１ａ…側面、４２…コーナー部、４３…古いレンジフード、４７…新しいレンジフード。
【図１】
0005665418.tif 000002
【図２】
0005665418.tif 000003
【図３】
0005665418.tif 000004
【図４】
0005665418.tif 000005
【図５】
0005665418.tif 000006
【図６】
0005665418.tif 000007
【図７】
0005665418.tif 000008
【図８】
0005665418.tif 000009
【図９】
0005665418.tif 000010
【図１０】
0005665418.tif 000011